(57)【要約】  シート状基材１０と、前記シート状基材１０の一方の面上に配置された化粧料２０と、前記化粧料を覆うと共に剥離可能であり且つ少なくとも一部が透明であるカバーフィルム３０と、前記一方の面とは反対側となる他方の面上に形成された粘着層４０と、前記粘着層を覆う剥離可能な剥離シート５０とを含むシート状化粧品１である。
2017061437.tif 000002
【特許請求の範囲】
【請求項１】
シート状基材と、前記シート状基材の一方の面上に配置された化粧料と、前記化粧料を覆うと共に剥離可能であり且つ少なくとも一部が透明であるカバーフィルムと、前記一方の面とは反対側となる他方の面上に形成された粘着層と、前記粘着層を覆う剥離可能な剥離シートとを含む、ことを特徴とするシート状化粧品。
【請求項２】
前記シート状基材と前記カバーフィルムとの間には、前記化粧料が存在する領域を避けて、前記シート状基材から前記カバーフィルムを剥離可能とする粘着層が配置してある、ことを特徴とする請求項１に記載のシート状化粧品。
【請求項３】
前記カバーフィルムと前記シート状基材との間には、前記化粧料が存在する領域を避けて、前記カバーフィルムと前記シート状基材との間隔を拡大する嵩上げシート材が更に配置され、前記嵩上げシート材の一方の面は接着層で前記シート状基材に接着固定され、他方の面は粘着層で前記カバーフィルムを剥離可能に接着している、ことを特徴とする請求項１に記載のシート状化粧品。
【請求項４】
前記シート状基材上に、複数の前記化粧料が互いに間隔をもって配置され、前記化粧料を個別に切り離し可能に形成してある、ことを特徴とする請求項１から３のいずれかに記載のシート状化粧品。
【請求項５】
前記化粧料が所定の文字・図形を表示している、ことを特徴とする請求項１から４のいずれかに記載のシート状化粧品。
【発明の詳細な説明】
【技術分野】
【０００１】
本発明は、ファンデーション、アイシャドウ、口紅、頬紅などの固形化粧料をシート状の基材（以下、シート状基材）に接着して保持する新規、薄手のシート状化粧品に関する。
【背景技術】
【０００２】
化粧料を保持する形態として、従来において一般的なものは、例えば特許文献１で開示する化粧用容器がある。このような容器は、容器本体内に複数の中皿を保持するように設計され、各中皿内には異なる化粧料が収納されている。そして、中皿は交換可能とされている。このような化粧用容器であれば、無くなった化粧料を中皿毎に交換して、その化粧用容器を長期に使用できる。
【先行技術文献】
【特許文献】
【０００３】
【特許文献１】特開２００５−２１８６１６号公報
【発明の概要】
【発明が解決しようとする課題】
【０００４】
しかしながら、引用文献１で開示するような化粧用容器は外形が大きいので嵩張る。そして、実際に化粧を行うためには更に鏡、ブラシ等も必要である。そのため、化粧品をポーチなどに入れて持ち歩き、自宅外で化粧をする機会の多い消費者（以下、ユーザ）などから化粧関連製品への軽・薄化の要請が近年、多くなっている。
ここで、例えば、外出先で使用したい化粧料を収納している中皿だけを化粧用容器から取出して携帯することを、思い付くユーザがいるかも知れない。しかしながら、この思い付きを実際に行うことは多くの困難が伴う。なぜなら、中皿は化粧用容器内に保持され、外力を受けないように保護されることが前提の部材である。中皿を取り出してそのままポーチに入れることは現実的でなく、そのユーザは中皿を持ち運ぶための収納袋や容器を別途に用意する必要が生じる。更には、ユーザのポーチ内で中皿や中皿内の化粧料が傷付いてしまうなどの問題が発生する可能性もある。【０００５】
本発明は、従来の化粧料のように専用の容器に収納して使用するという形態にとらわれず、薄くて嵩張らず、ユーザが任意の箇所（場所）に貼り付けて使用できるようにした新規なシート状化粧品を提供することにある。
【課題を解決するための手段】
【０００６】
上記目的は、シート状基材と、前記シート状基材の一方の面上に配置された化粧料と、前記化粧料を覆うと共に剥離可能であり且つ少なくとも一部が透明であるカバーフィルムと、前記一方の面とは反対側となる他方の面上に形成された粘着層と、前記粘着層を覆う剥離可能な剥離シートとを含む、ことを特徴とするシート状化粧品により達成することができる。【０００７】
そして、前記シート状基材と前記カバーフィルムとの間には、前記化粧料が存在する領域を避けて、前記シート状基材から前記カバーフィルムを剥離可能とする粘着層が配置してある構造とすることができる。【０００８】
また、前記カバーフィルムと前記シート状基材との間には、前記化粧料が存在する領域を避けて、前記カバーフィルムと前記シート状基材との間隔を拡大する嵩上げシート材が更に配置され、前記嵩上げシート材の一方の面は接着層で前記シート状基材に接着固定され、他方の面は粘着層で前記カバーフィルムを剥離可能に接着している構造としてもよい。【０００９】
また、前記シート状基材上に、複数の前記化粧料が互いに間隔をもって配置され、前記化粧料を個別に切り離し可能に形成してあるものとしてもよい。
さらに、前記化粧料が所定の文字・図形を表示しているものがより好ましい。
【発明の効果】
【００１０】
本発明によれば、ユーザが任意の箇所に貼り付けて使用できる薄手のシート状化粧品を提供できる。例えば、ユーザが常に携帯する化粧用鏡に、本発明のシート状化粧品から化粧料部分を予め貼り付けておくことで、後に簡単に化粧を行える。
このシート状化粧品は、シート状基材の上に化粧１回分から数回分、程度の量の化粧料が保持されているように設定すれば極めて薄くて軽いものとなるので、前述したユーザの要請に応える新規なシート状化粧品として提供できる。
そして、シート状基材上の化粧料が所定の文字・図形を表示するように設計してあるものがより好ましい。例えば、化粧料が花、動物、景色などの図形、或いは、所定の文字などを表示していれば、ユーザにインパクトを与えて、美観に訴え、記憶に残る、訴求性の高い化粧品とすることができる。
【図面の簡単な説明】
【００１１】
【図１】本発明の一実施形態に係るシート状化粧品の構成を説明するための図である。
【図２】図１のシート状化粧品を使用するときの様子を説明するために示した図である。
【図３】本発明の他の実施形態に係るシート状化粧品の構成を説明するための図である。
【発明を実施するための形態】
【００１２】
以下、本発明の実施の形態を、図を参照して詳細に説明する。
図１は、本発明の一実施形態に係るシート状化粧品について示した図である。
シート状化粧品１には、シート状基材１０、このシート状基材１０の上面（一方の面）に配置された化粧料２０、この化粧料２０を覆うようにしてカバーフィルム３０が配置してある。カバーフィルム３０は、ヒートシールや粘着層によってシート状基材１０と剥離可能に配置することが可能である。
【００１３】
図１で示している形態例では、粘着層６０がシート状基材１０とカバーフィルム３０との間に配置されている。粘着層６０は上記化粧料２０が存在する領域を避けて配置され、シート状基材１０からカバーフィルム３０を剥離可能としている。
よって、カバーフィルム３０はユーザの必要に応じて剥離が可能である。ここで、例えばカバーフィルム３０を完全に取り除く（カバーフィルム３０が完全に離れる）形態としてもよいし、カバーフィルム３０を剥がすときに接続部分が残る形態としてもよい。
化粧料２０を一度で使い切ってしまうタイプのシート状化粧品１を設計したような場合には前者の完全除去タイプとしてもよい。これに対して、化粧料２０を複数回に亘り使用可能なタイプのシート状化粧品１に設計したような場合には接続部分が残る後者の接続保持タイプとするのが好ましい。
上記カバーフィルム３０は、その少なくとも一部を透明として、下に位置している化粧料２０の色や形状を少なくとも視認できるように（ユーザが確認できるように）設計しておくのが望ましい。
【００１４】
上記粘着層６０は、少なくとも、シート状基材１０からカバーフィルム３０を剥がすことができるように設計してあればよい。ただし、カバーフィルム３０を剥がしたときに、シート状基材１０上には残らずカバーフィルム３０側に付着しているように、すなわちカバーフィルム３０と共に粘着層６０がシート状基材１０側から離れるように、設計しておくのがより望ましい。なぜなら、このようにしておけば、化粧料２０の周りに残存している粘着層６０に化粧料が付着するということを気に掛けないで、ユーザは化粧料２０を使用することができる。
そして、粘着層６０は、中央に位置している化粧料２０の周縁から所定の間隔（例えば１．５ｍｍ〜３ｍｍの幅）をもって、化粧料２０の外周を取り囲むように配置しておくと、カバーフィルム３０で上部を覆ったときに気密空間を形成できるので、化粧料２０の乾燥防止や外力からの保護に有効な構造となる。粘着層６０は化粧料２０と接触することが無いように、前述したように化粧料２０が存在する領域を避けた残りの領域に配置されるが、この残りの領域全体に粘着層６０を配置してもよいし、図１で示すように化粧料２０の外周を取り囲むようにして粘着層６０を一部に配置してもよい。
【００１５】
一方、前記シート状基材１０の下面（他方の面）には粘着層４０が設けてある。この粘着層４０を覆い、且つ、この粘着層４０に対して剥離可能とされた剥離シート５０が設けてある。
粘着層４０は、後述するようにユーザが任意の箇所（場所）に、シート状化粧品１を貼り付けることができるように設けた層である。この粘着層４０は、前記シート状基材１０の下面の全体に設けてもよいが、シート状化粧品１を少なくとも任意の箇所に安定的に貼り付けできる粘着力を得ることができれば、粘着層４０はシート状基材１０の下面の一部に配置してもよい。
そして、この粘着層４０については、ユーザが剥離シート５０を剥がす動作をしたときに、粘着層４０がシート状基材１０の下面（他方の面）側に確実に存在（残存）しているように、シート状基材１０、粘着層４０および剥離シート５０の接着関係を設計しておく必要がある。このような接着関係は、例えば剥離性が高い剥離シートを用いることによって、設定することができる。剥離性が高い剥離シートとして、剥離紙や剥離フィルム、或いは剥離紙や剥離フィルムを紙やフィルムに貼り合せた積層体を用いることができる。剥離紙や剥離フィルムに用いられる離型剤として、シリコーン系、フッ素系、ワックス系などの離型剤を用いることができる。また、粘着剤４０に対する接着性が剥離シート５０よりも高いシート状基材１０を用いることによっても、設定することができる。
【００１６】
以下、更に、前述した各構成部について、好ましい素材、形状、寸法等について、説明する。
上記シート状基材１０は透明なものでも、不透明なものでもよい。また、透明な樹脂フィルムを採用して、その背面に印刷したり、紙製の台紙などを添付したりして不透明化してもよい。シート状基材１０としては、例えばポリエステルフィルム、ポリエチレンフィルム、ポリプロピレンフィルムおよびポリカーボネートフィルムから選択されるいずれかを採用することができるが、化粧料に含まれる油分に対する安定性の面からポリエステルフィルムが好適である。ポリエステルフィルムは着色或いは白化処理を施して隠蔽性を備えたものでもよいし、透明であってもよい。また、透明なシート状基材１０の背面側に印刷をしたり、不透明な台紙を貼着したりしてもよい。
【００１７】
シート状基材１０上には、従来公知のファンデーション、アイシャドウ、口紅などを化粧料２０として適宜に配置することができる。化粧料を配置する際に、化粧料自身が所定の文字・図形を表示するように設計しておけば、ユーザの視覚に訴えることができる意匠性を備えた化粧品とすることができる。
なお、化粧料２０がファンデーションなど、その主体が粉体である化粧料である場合、シート状基材１０との相性にもよるが接着性に劣り、脱落し易い（剥がれ易い）場合がある。このような場合の対処としては、シート状基材１０上に接着力を高めるための下地処理を施しておくのが好ましい。ここでの下地処理としては、シート状基材１０の表面への粗面化処理または接着剤塗布処理とすることができ、この両方の処理を行ってもよい。
上記粗面化処理としては、例えばサンドブラスト加工やエンボス加工が挙げられ、シート状基材１０の表面粗さは中心線平均粗さ１〜１０μｍ（ＪＩＳ  Ｂ０６０１に記載の方法に準じて測定）であることが望ましい。
また、シート状基材１０に塗布する接着剤は、化粧料をシート状基材１０に配置する際に化粧料を分散するために用いている溶剤によって接着性を発現するものを用いるのが望ましい。接着剤は、化粧料の分散に用いられる溶剤に応じて選択可能であるが、例えば溶剤としてエタノール、イソプロピルアルコールなどの低級アルコールを用いる場合は、アクリル樹脂、ウレタン樹脂、ポリ酢酸ビニル、エチルセルロース、ポリビニルピロリドンが挙げられる。
【００１８】
化粧料２０を覆う、カバーフィルム３０についてもポリエステルフィルム、ポリエチレンフィルム、ポリプロピレンフィルムおよびポリカーボネートフィルムから選択することができる。
そして、上記粘着層６０は、例えばゴム系、アクリル系、シリコーン系およびウレタン系から適宜に選択した、粘着剤により形成することができる。ここでの粘着層６０の粘着力は、シート状化粧品１に用いるシート状基材１０または後述する嵩上げシート材７０とカバーフィルム３０の接着性に合わせて適宜に調整すればよい。
なお、上記粘着層６０に替えて、ヒートシールを用いてカバーフィルム３０をシート状基材１０上に配置する場合には、ポリエステルフィルム、ポリエチレンフィルム、ポリプロピレンフィルムなどの融点が低い熱可塑性樹脂フィルムやそれらの複合フィルム、ヒートシール剤を塗布したフィルムから選択することができる。
【００１９】
シート状基材１０の下面側に配置する剥離シート５０については、紙、ポリエステルフィルム、ポリエチレンフィルム、ポリプロピレンフィルム、ポリカーボネートフィルムから選択することができる。この剥離シート５０として、剥離紙や剥離フィルム、或いは剥離紙や剥離フィルムを紙やフィルムに貼り合せた積層体を用いることによって、シート状基材１０に配置された粘着層４０との再剥離性を高めることができる。
シート状基材１０と剥離シート５０との間に配置する粘着層４０も例えばゴム系、アクリル系、シリコーン系およびウレタン系から適宜に選択した、粘着剤により形成することができる。
上記粘着層４０の粘着力は、シート状化粧品１に用いるシート状基材１０と剥離シート５０の接着性に合わせて適宜に調整すればよい。ここで、シート状化粧品１をユーザが実際に使用するときを考慮して、ユーザがシート状化粧品１を鏡付きのカードケースなどに貼り付けてから化粧料を使用し、その後に使い終わったときに、シート状化粧品１を前記ケースから容易に剥離できる（剥がし取ることができる）ように、粘着層４０の粘着力を調整しておくことが望ましいが、前記シート状化粧品１が前記ケースから、容易に剥離できないよう状態、言い換えれば前記粘着層４０が接着層となっていても構わない。
なお、図１で例示しているシート状化粧品１は、採用するフィルム材の厚さや保持する化粧料２０の量に応じて異なるものとなるが、上層のカバーフィルム３０から下層の剥離シート５０の厚さは、例えば０．２ｍｍ〜５ｍｍという極めて薄く、軽い化粧品に設計することが可能である。
【００２０】
図２は、図1で示したのと同様の構成を有するシート状化粧品１を、ユーザが使用する際の様子を具体的に説明するために示した図である。
図２で示しているシート状化粧品１では、異なる種類の化粧料２０ａ、２０ｂ、２０ｃ、２０ｄがシート状基材１０上に配置されている。ここで、例えば、ピンク色でハート型は頬紅用の化粧料２０ａ、薄紫色で長方形はアイシャドウ用の化粧料２０ｂ、ベージュ色で星型はコンシーラ用の化粧料２０ｃ、そして、薄いベージュ色で丸型はファンデーション用の化粧料２０ｄである。
図２に示すように、複数配置した場合の化粧料２０ａ〜２０ｄは互いに間隔をもって配置されている。特に、ユーザが１つの化粧料を剥がし取る操作をする時に、他の化粧料が邪魔にならない程度の間隔をもってお互いを配置しておくのが望ましい。
【００２１】
そして、ユーザが各化粧料２０ａ〜２０ｄを個別に剥がし取ることができるように、すなわち各化粧料２０ａ〜２０ｄは個別に切り離し可能に形成してある。
そのため、シート状化粧品１を製造する際に所定の切り取り線（切れ目またはミシン目）を設けておくのが望ましい。切り取り線は、例えば図２で示すように各化粧料２０ａ〜２０ｄが存在する領域を囲むようにして、且つ、その周縁よりも僅かに大きく（例えば２〜３ｍｍの幅を持って外側に大きく）形成するのが望ましい。図２では、２１ａ〜２１ｄが切り取り線である。
上記切り取り線２１ａ〜２１ｄは最上層のカバーフィルム３０から最下層の剥離シート５０まで形成して完全に分離可能としてもよいが、カバーフィルム３０から粘着層４０まで切り取り線を入れて、最下層の剥離シート５０から各化粧料部分を１個ずつ剥がし取ることができるように設計した方が、１個ずつを剥がし易く、剥離シート５０が散乱しないので好ましい。
【００２２】
シート状化粧品１は従来の印刷技術等を流用して化粧料の部分を製造することができる。例えば、シート状基材１０上に、スクリーン印刷装置を用いて、化粧料２０（２０ａ〜２０ｄ）を所定位置に配置（印刷）する。具体的には、化粧料２０を揮発性用溶剤に分散した印刷用のスラリーに調製し、シート状基材２０上の予定位置に印刷をする。必要に応じて、複数回の印刷を行う。化粧料をスラリー化するために混合される揮発性用溶剤は、公知のものをいずれも使用でき、例えば、エチルアルコール、イソプロピルアルコール等の低級アルコール、低沸点炭化水素、低沸点シリコーン油、環状シリコーン、水、あるいはこれらの混合物が挙げられる。混合する比率は化粧料の構成や印刷条件に応じて適宜調整すればよい。
【００２３】
以上のような構成を備えた本発明のシート状化粧品１は、図２で示すように使用される。
ユーザは外出先で使用したい化粧料部分をシート状化粧品１の本体から剥がし取って、図で示すように鏡１０１付きのカードケース１００のカード収納側１０２に予め貼り付けておく。具体的には、図２で、ユーザはシート状化粧品１から口紅用の化粧料２０ａの部分を、剥離シート５０より上の構成を剥がし取って、シート基材１０下の粘着層４０を使ってカード収納側１０２に予め貼り付ける。この操作のとき、化粧料２０ａはカバーフィルム３０で覆われているので、ユーザの手が化粧料に触れることはない。そして、ユーザが必要なときに、カバーフィルム３０を剥がして化粧料を使用する。
なお、化粧料２０ａの部分を貼り付けるカード収納側１０２について、貼り付け専用のプラスチックカード等を予め準備してもよいが、メンバーズカードやクレジットカードの平坦面を利用してもよい。
図２は他の貼り付け箇所（場所）も示している、自立型の脚部を備えた折り畳み式の鏡２００である場合、その脚部２０１にシート状化粧品１から剥がし取った化粧料部分を貼ってもよい。図２で示しているのは、シート状化粧品１から剥がし取った化粧料部分が貼られる箇所（場所）の単なる一例である。ユーザの鏡が比較的大きな場合に、鏡表面の縁部に剥がし取った化粧料を貼り付けてもよい。
【００２４】
以上で説明したように、ユーザが使用を希望する化粧料を、自己がいつも携帯している化粧道具等に予め貼り付けおくだけで、出先において簡単にその化粧料を使用できる。貼り付ける化粧料は１回から数回の量と極少量であるから、ユーザの負荷にはならない。図２は化粧料２０ａ、１個だけを使用する場合を例示したが、勿論、複数の化粧料を同時に貼り付け使用してもよい。
更に、図２で例示しているのは、異なる種類の化粧料を接着したシート状化粧品１であるがこの組み合せには限らない。図２の例示とは異なり、同じ種類の化粧料、例えば口紅で異なる色を揃えたシート状化粧品１としてもよい。ユーザの要求に応じて、種々の組み合わせでシート状基材上に複数の化粧料を配置したシート状化粧品１を準備し、提供すればよい。また、図２での例示は、化粧料で図形を形成しているが、花や動物、景色の絵柄や文字などとして、ユーザに訴求して、印象に残る意匠性をも具備したシート状化粧品１とするのがより好ましい。
【００２５】
図３は、他の実施形態のシート状化粧品１について示した図である。前述した構成と同一部位については、同じ符号を付して重複する説明は省略し、異なる構造について説明する。
図３で示すシート状化粧品１は、シート状基材１０とカバーフィルム３０との間に、化粧料２０が存在する領域を避けて、上記カバーフィルムとシート状基材との間隔を拡大する嵩上げシート材７０が更に配置されている。嵩上げシート材７０は化粧料２０を収納する空間ＳＰを十分に確保する必要があるときに厚みを増すための補助部材で化粧料２０を取り囲むようにして配置されている。
口紅やコンシーラのように油剤成分を多く含む化粧料の場合は、化粧料がカバーフィルム３０と接触すると、化粧料２０とカバーフィルム３０とが貼り付いて美観を損ねる虞（おそれ）がある。このような場合に、図３で示す構造を採用して、化粧料２０とカバーフィルム３０が非接触の状態を確実に維持するのが望ましい。
上記嵩上げシート材７０を採用した場合には、例えば接着層８０−１で前記シート状基材１０に接着固定し、粘着層８０−２で前記カバーフィルム３０を剥離可能に接着する。
上記接着層８０−１は、少なくとも、嵩上げシート材７０からカバーフィルム３０を剥がすことができるように設計してあればよい。ただし、前述したのと同じ理由で、ユーザがカバーフィルム３０を剥がし取る動作をしたときに、粘着層８０−２はカバーフィルム３０側に付着するように設計しておくのが望ましい。
なお、上記において、接着層とは接着状態を維持することを意図して形成した層である。一方、粘着層とは接着状態を破り、剥離させること、或いは接着と剥離を繰り返すこと、を許容するように形成した層である。これら接着層、粘着層は、接着される被接着物（本発明ではシート材やフィルム材）の素材と、そこに採用される接着剤（粘着剤）との関係により、適宜に設計されるものである。
【００２６】
以上で説明した本発明のシート状化粧品によれば、ユーザが任意の箇所に貼り付けて使用できる薄くて嵩張らず、軽量のシート状化粧品を提供できる。本発明のシート状化粧品は、ユーザが携帯する化粧道具等に予め貼り付けておくだけでよいので、従来において多く化粧料を携帯していたユーザの負担を大幅に軽減できる。
そして、シート状基材上の化粧料が所定の文字・図形を表示するように設計しておけば、ユーザにインパクトを与えて、美観に訴え、記憶に残る、訴求性の高い化粧品にすることもできる。
【００２７】
以上で実施形態の説明を終えるが、本発明は上記実施形態に限定されるものではなく、その要旨を逸脱しない範囲で種々変更して実施することができることは言うまでもない。
前述した実施形態では、ユーザが出先で使用することを望む化粧料部分をシート状化粧品から剥がし取り、ユーザが携帯する化粧道具などに貼り付けて使用する場合を、好適な使用例として説明したが、これに限らない。図２に示しているようなシート状化粧品全体を、好みの携行品に貼り付け、いつも持ち歩き、使い切った（無くなった）化粧料部分だけを自宅に買い置きしてあるシート状化粧品から剥がし取って、適宜に補充するという使い方をしてもよい。このようにすれば、ユーザの好みの化粧料セットを大きな負担無く、常に持ち歩くことができる。
更に、本発明のシート状化粧品は極めて薄いので、互いを重ね合せて（すなわち、積層状態として）使用してもよい。具体的には携行品に貼り付けた下側（第１）のシート状化粧品のカバーフィルムの上に、第２のシート状化粧品の粘着層を貼り付ければ、ユーザの好みに応じて２層の積層体を形成できる。同様に繰り返せば、３層、４層とすることも可能である。携行品に貼り付けスペースが少ないときなど、持ち歩く化粧料を多くするための手法として有効である。
【符号の説明】
【００２８】
１                          シート状化粧品
１０                        シート状基材
２０（２０ａ〜２０ｄ）      化粧料
３０                        カバーフィルム
４０                        粘着層
５０                        剥離シート
６０                        粘着層
７０                        嵩上げシート材
８０−１                    接着層
８０−２                    粘着層
１００                      鏡付きカードケース
２００                      折り畳み式の鏡
【図１】
2017061437.tif 000003
【図２】
2017061437.tif 000004
【図３】
2017061437.tif 000005
【国際調査報告】
2017061437.tif 000006
2017061437.tif 000007